(57)【要約】【課題】引き違い窓や上げ下げ窓において、非防火性クレセントを用いた場合であっても室内外障子の召し合せ框間の隙間増大による延焼が防止され、防火性を向上させた窓の防火構造を提供する。【解決手段】引き違い窓または上げ下げ窓として構成された窓において、室内側障子５の召し合せ框８における、室外側障子６の召し合せ框１３との対向面に加熱発泡材２７を設ける。加熱発泡材２７は、火災発生時の加熱により発泡体２７ａとして発泡し、召し合せ框８，１３どうしの隙間を閉塞する。【選択図】図３
2015059320.tif 000002
【特許請求の範囲】
【請求項１】
引き違い窓または上げ下げ窓として構成された窓の防火構造において、
室内側障子の召し合せ框における、室外側障子の召し合せ框との対向面に、加熱により発泡して召し合せ框どうしの隙間を閉塞する加熱発泡材を設けたことを特徴とする窓の防火構造。
【請求項２】
請求項１に記載の窓の防火構造において、
室外側障子と室内側障子の各召し合せ框に、障子が閉じた状態において互いに相手の裏面側どうしが対面するように交差する煙返しを備えたことを特徴とする窓の防火構造。
【請求項３】
請求項１または２に記載の窓の防火構造において、
室外側障子の召し合せ框における、室内側障子の召し合せ框との対向面にも加熱により発泡して召し合せ框どうしの隙間を閉塞する加熱発泡材を設けたことを特徴とする窓の防火構造。
【請求項４】
請求項１から３までのいずれか1項に記載の窓の防火構造において、
前記加熱発泡材として、発泡温度が２５０℃以下のものを用いたことを特徴とする窓の防火構造。
【請求項５】
引き違い窓または上げ下げ窓として構成された窓の防火構造において、
室内側障子の召し合せ框と、室外側障子の召し合せ框との相互の対向面の少なくともいずれか一方に、加熱により発泡して召し合せ框どうしの隙間を閉塞する加熱発泡材を設けると共に、
室内側障子の召し合せ框に、非防火性クレセントを取付けたことを特徴とする窓の防火構造。
【発明の詳細な説明】
【技術分野】
【０００１】
本発明は、住宅等の建物に設置される引き違い窓や上げ下げ窓の防火構造に関する。
【背景技術】
【０００２】
建物の引き違い窓等の窓においては、火災発生時に延焼を防止する機能を備えることが要求される。このような延焼防止機能を高める１つの手段として、特許文献１に記載のように、高い耐火性を備えた防火性クレセントを使用するものがある。また、特許文献２には、耐火性の異なる２枚のガラスパネルからなる複層パネルを備えた引き違い窓において、耐火性の高いガラスパネル側から見て、障子の４周の框を全部露出するか、あるいは全部枠に隠れるかいずれかの構成をとることにより、火災発生時の框の温度分布ができるだけ均一になるようにし、もってガラスパネルの割れを防止したものが提案されている。
【先行技術文献】
【特許文献】
【０００３】
【特許文献１】実公平７−５５２４４号公報
【特許文献２】特開２０１３−１０８２５９号公報
【発明の概要】
【発明が解決しようとする課題】
【０００４】
しかしながら、特許文献１に記載のように、防火性クレセントを用いたものは、防火性クレセントが非防火性クレセントに比較して価格が高価となり、コスト高となる上、１棟内に防火性クレセントと非防火性クレセントが混在すると、意匠性を統一することができないという問題点があった。
【０００５】
一方、特許文献２に記載の引き違い窓等に非防火性クレセントを用いた場合、次のような問題点がある。図７は引き違い窓を閉じた状態における室内側障子５、室外側障子６の各召し合せ框８，１３の接合部を示す横断面図である。１７は室内側障子５の召し合せ框８に取付けたクレセント、２０は室外側障子６の召し合せ框１３に設けた受け金具である。２４，２５はそれぞれ召し合せ框８，１３どうしの対向面に設けた煙返しであり、図示のように障子５，６が閉じた状態においては、これらの煙返し２４，２５は互いに相手の裏面側に対面するように交差した状態となる。
【０００６】
ここでクレセント１７として非防火性クレセントを用いた場合、室内側からの火災発生によりクレセント１７が溶融すると、召し合せ框８，１３どうしの結合が解かれ、図８に示すように、障子５，６の横框(図示せず)やガラスパネル１１，１６の熱膨張により、召し合せ框８，１３がそれぞれ矢印Ｘ１，Ｘ２に示すように互いに反対側に移動する。
【０００７】
すなわち、障子５，６が閉じた状態においては、障子５，６の縦框のうち、召し合せ框８，１３の反対側の縦框(図示せず)は窓枠の縦枠(図示せず)に当接しているので、障子５，６が膨張しても召し合せ框８，１３の反対側の縦框は移動ができないが、しかしクレセント１７が溶融した状態では、召し合せ框８，１３は互いに非拘束となるので、これらの召し合せ框８，１３側が障子５，６の膨張により矢印Ｘ１，Ｘ２に示すように移動する。
【０００８】
さらに室内側で発火した場合には、室内側障子５の召し合せ框８の上下方向の中央部が熱膨張により矢印Ｙ１で示すように室内側に変形するので、煙返し２４，２５どうしが外れて召し合せ框８，１３どうしの隙間ｇが大きくなり、この拡大された隙間ｇを通して熱風や火炎が室内側から室外側に向けて噴出し、延焼を起こしやすくなる。このような問題は上げ下げ窓においても同様に生じてくる。
【０００９】
本発明は、上記問題点に鑑み、引き違い窓や上げ下げ窓において、非防火性クレセントを用いた場合であっても室内外障子の召し合せ框間の隙間増大による延焼が防止され、防火性を向上させた窓の防火構造を提供することを目的とする。
【課題を解決するための手段】
【００１０】
請求項１の窓の防火構造は、引き違い窓または上げ下げ窓として構成された窓の防火構造において、
室内側障子の召し合せ框における、室外側障子の召し合せ框との対向面に、加熱により発泡して召し合せ框どうしの隙間を閉塞する加熱発泡材を設けたことを特徴とする。
【００１１】
請求項２の窓の防火構造は、請求項１に記載の窓の防火構造において、
室外側障子と室内側障子の各召し合せ框に、障子が閉じた状態において互いに相手の裏面側どうしが対面するように交差する煙返しを備えたことを特徴とする。
【００１２】
請求項３の窓の防火構造は、請求項１または２に記載の窓の防火構造において、
室外側障子の召し合せ框における、室内側障子の召し合せ框との対向面にも加熱により発泡して召し合せ框どうしの隙間を閉塞する加熱発泡材を設けたことを特徴とする。
【００１３】
請求項４の窓の防火構造は、請求項１から３までのいずれか1項に記載の窓の防火構造において、
前記加熱発泡材として、発泡温度が２５０℃以下のものを用いたことを特徴とする。
【００１４】
請求項５の窓の防火構造は、引き違い窓または上げ下げ窓として構成された窓の防火構造において、
室内側障子の召し合せ框と、室外側障子の召し合せ框との相互の対向面の少なくともいずれか一方に、加熱により発泡して召し合せ框どうしの隙間を閉塞する加熱発泡材を設けると共に、
室内側障子の召し合せ框に、非防火性クレセントを取付けたことを特徴とする。
【発明の効果】
【００１５】
請求項１の発明によれば、火災発生時に召し合せ框に設けた加熱発泡材が発泡し、室内側障子の召し合せ框と室外側障子の召し合せ框との間の隙間が発泡体により閉塞される。このため、内外障子の召し合せ框間からの熱風や火炎が室外側に噴出することが防止され、延焼が防止される。その結果、クレセントとして非防火性クレセントを用いた場合であっても、延焼防止による防火性の向上が達成できる。
【００１６】
また、室内側障子の召し合せ框に加熱発泡材を設けたので、室内側から出火した場合、室内側障子の召し合せ框が室外側障子の召し合せ框に先行して加熱されるため、加熱発泡材が短時間で発泡する。このため、非防火性クレセントを用いた場合であっても、クレセントが溶融する前に内外の召し合せ框間が発泡体で充填され、確実な延焼防止効果が得られる。
【００１７】
請求項２の発明によれば、内外の召し合せ框間の隙間が発泡体によって充填されることにより、召し合せ框どうしを離反させる力が発生し、これにより、内外の召し合せ框にそれぞれ形成した煙返しどうしが圧接する。これにより、煙返しどうしの摩擦抵抗が増大すると共に、この摩擦抵抗に、発泡体と召し合せ框との間で発生する摩擦抵抗が加わり、その結果、内外の召し合せ框どうしの間に大きな摩擦抵抗が発生し、障子が開き難くなる。このため、さらに延焼防止効果が上がり、防火性が向上する。
【００１８】
請求項３の発明によれば、外側障子の召し合せ框における、室内側障子の召し合せ框との対向面にも加熱発泡材を設けたので、内外の召し合せ框間に大量かつ広範囲に発泡体を充填させることができ、その上、内外の召し合せ框と発泡体との摩擦抵抗が増大し、召し合せ框どうしの移動をし難くするため、防火性を高めることができる。
【００１９】
また、煙返しを備えたものにおいては、火災発生時に召し合せ框どうしを発泡体によって押圧する力が増大するので、内外の煙返し間の摩擦抵抗も増大するので、発泡体と召し合せ框との間の摩擦抵抗が増大することと相俟って、さらに延焼防止効果が上がり、防火性が向上する。
【００２０】
請求項４の発明によれば、加熱発泡材として、発泡温度が２５０℃以下のものを使用したので、加熱発泡材を室内側障子の召し合せ框に設けたことと相俟って、火災発生時から短時間で加熱発泡材を発泡させることができ、クレセントが溶融して内外の召し合せ框間の隙間が増大する前に、発泡体によって召し合せ框間の隙間を閉塞し、防火性を確保することができる。
【００２１】
請求項５の発明によれば、クレセントとして非防火性クレセントを用いたものでありながら、火災発生時に召し合せ框間の隙間を閉塞する加熱発泡材を設けたことにより、防火性の高い窓を実現することが可能となる。また、クレセントとして非防火性クレセントを用いたので、クレセントの価格低減が可能になると共に、防火性が要求されない箇所の窓のクレセントと意匠を統一することができる。
【図面の簡単な説明】
【００２２】
【図１】本発明の窓の防火構造の一実施の形態を示す引き違い窓であり、窓を室内側から見た図である。
【図２】図１のＥ−Ｅ拡大断面図である。
【図３】この実施の形態において、火災発生時に加熱発泡材が発泡した状態を示す横断面図である。
【図４】本発明の窓の防火構造の他の実施の形態を示す横断面図である。
【図５】図４の実施の形態において、火災発生時に加熱発泡材が発泡した状態を示す横断面図である。
【図６】本発明の窓の防火構造を上げ下げ窓に適用した例を示す縦断面図である。
【図７】従来の引き違い窓の召し合せ框の部分を示す横断面図である。
【図８】図７の引き違い窓の火災発生時における召し合せ框の変化を示す横断面図である。
【発明を実施するための形態】
【００２３】
図１は本発明の窓の防火構造の一実施の形態を示す引き違い窓であり、室内側から見た図である。図２は図１のＥ−Ｅ拡大断面図である。図１において、１は窓枠であり、この窓枠１は、アルミニウム合金等の金属製押出形材を主体とした左右の縦枠２，２と、上枠３および下枠４とにより構成される。５，６はこの窓枠１にスライド可能に装着されて引き違い窓を構成する室内側障子および室外側障子である。
【００２４】
室内側障子５は、縦枠２側縦框７と、召し合せ框８と、その間に設けられた上框９と、下框１０と、これらの框７〜１０でなる框組内に組み込まれたガラスパネル１１とで構成する。室外側障子６は、縦枠２側縦框１２と、召し合せ框１３（図２参照）と、その間に設けられた上框１４と、下框１５と、これらの框１２〜１５でなる框組内に組み込まれたガラスパネル１６とで構成する。これらの框７〜１０、１２〜１５はアルミニウム合金等の金属製押出形材を主体として構成する。
【００２５】
１７は室内側障子５の召し合せ框８に取付けたクレセントであり、この実施の形態においては、例えば亜鉛ダイカストを主体とした非防火性クレセントを用いる。このようにクレセント１７として非防火性クレセントを用いれば、クレセントの価格低減が可能になると共に、クレセントの意匠を統一することができる。
【００２６】
なお、非防火性クレセントとしては、亜鉛ダイカストを主体としたもの以外に、アルミニウムダイカスト、マグネシウムダイカスト、ポリアミド系樹脂等を主体としたものを用いることができる。しかしながら、本発明の防火構造を実現する場合、クレセント１７として、例えば鋼材を主体とした防火性クレセントを用いてもよい。
【００２７】
図２に示すように、ガラスパネル１１，１６は、防火性、断熱性を高めるため、それぞれ網入りのガラスパネル１１ａ，１６ａと、網なしのガラスパネル１１ｂ，１６ｂとにより複層パネルとして構成している。１１ｃ，１６ｃはこれらのガラスパネル１１，１６を召し合せ框８，１３に組み込むためのグレージングチャンネルである。
【００２８】
室内側障子５において、８ａは、断熱性向上のために、召し合せ框８における室外側の面以外の面を空気層を介して覆う樹脂製の押出形材である。クレセント１７は、取付けねじ１８を、このクレセント１７および押出形材８ａ，召し合せ框８の取付け穴に貫通して召し合せ框８内に設けた裏板１９のねじ孔に螺合し締結することにより、召し合せ框８に取付ける。２０はこのクレセント１７のフック１７ａを係止するために、室外側障子６の召し合せ框１３に取付けた受け金具である。
【００２９】
２２は室内側障子５の召し合せ框８に設けた気密材であり、障子５，６を閉じた状態において、室外側障子６の召し合せ框１３に当接させるものである。２３は室外側障子６の召し合せ框１３に設けた気密材であり、障子５，６を閉じた状態において、室内側障子５の召し合せ框８に当接させるものである。２４，２５はそれぞれ召し合せ框８，１３における相互の対向面に形成した煙返しであり、障子５，６を閉じた状態において、それぞれ煙返し２４，２５は相手の裏側の面（框８，１３の対向面の反対側の面）に対面するように交差させて係合させるものである。
【００３０】
２７は室内側障子５の召し合せ框８における室外側障子６の召し合せ框１３との対向面に設けた加熱発泡材である。召し合せ框８には、この加熱発泡材２７を取付けるため、召し合せ框８の全長にわたって加熱発泡材２７の取付け溝２８を設ける（図１参照）。この加熱発泡材２７は火災発生時の加熱により発泡するものである。この加熱発泡材２７は、ねじ等の固定具を用いて召し合せ框８に取付けてもよいが、図示例のように両脇をコの字形に曲成した取付け溝２８に沿って召し合せ框８の全長にわたって加熱発泡材２７を嵌め込むことにより、加熱発泡材２７が召し合せ框８の室外側の面からせり出すことなく、加熱発泡材２７を取付け溝２８により確実に保持した状態で取付けることができる。
【００３１】
この構成において、火災発生時に加熱発泡材２７が発泡すると、図３に示すように、召し合せ框８、１３間の隙間が発泡体２７ａにより充填される。特に室内側から出火した場合、室内側障子５の召し合せ框８が室外側障子６の召し合せ框１３に先行して加熱されるため、室内側障子５の召し合せ框８に設けた加熱発泡材２７が早期に発泡し、召し合せ框８，１３の間の隙間が発泡体２７ａにより閉塞される。このため、室内外障子５，６の召し合せ框８，１３間からの熱風や火炎が室外側に噴出することが防止され、延焼が防止される。このため、クレセント１７として非防火性クレセントを用いた場合であっても、延焼防止による防火性の向上が達成できる。
【００３２】
また、この実施の形態のように、煙返し２４，２５をそれぞれ召し合せ框８，１３に設けたものにおいては、召し合せ框８，１３間の隙間が発泡体２７ａによって充填されることにより、矢印Ｙ２に示すように、召し合せ框８，１３どうしを離反させる力が発生し、これにより、内外の召し合せ框８，１３にそれぞれ形成した煙返し２４，２５どうしが圧接する。これにより、煙返し２４，２５どうしの摩擦抵抗が増大すると共に、この摩擦抵抗に、発泡体２７ａと召し合せ框１３との間で発生する摩擦抵抗が加わり、その結果、内外の召し合せ框８，１３どうしの間に大きな摩擦抵抗が発生し、障子が開き難くなる。このため、さらに延焼防止効果が上がり、防火性が向上する。すなわち、仮に火災による熱によってクレセント１７が溶融したとしても、延焼防止効果を持続させることが可能となる。
【００３３】
ここで、加熱発泡材２７は、火災発生時にクレセント１７が溶融する前に発泡することが好ましい。このように加熱発泡材２７を迅速に発泡させるには、比較的低温で発泡する加熱発泡材を用いることが好ましく、発泡温度が２５０℃以下の例えばエポキシ系樹脂を基材としたものを用いることが好ましい。発泡温度が２５０℃以下であれば、室内側で発火させる火災実験において、加熱発泡材２７を６〜７分で発泡させることが可能であることを確認している。
【００３４】
このような加熱発泡材を用いれば、クレセント１７の溶融前に、より確実に発泡させ、召し合せ框８，１３間を発泡体２７ａで迅速に閉塞し、発泡体２７ａや煙返し２４，２５どうしの圧接により、召し合せ框８，１３を互いに離反しない状態に維持することができる。
【００３５】
図４は本発明の窓の防火構造の他の実施の形態であり、室内側障子５の召し合せ框８のみならず、室外側障子６の召し合せ框１３における室内側障子５の召し合せ框８との対向面にも加熱発泡材３０を、召し合せ框１３のほぼ全長にわたって設けたものである。この実施の形態においても、召し合せ框１３に設けた取付け溝３１に加熱発泡材３０を嵌め込んで取付けている。
【００３６】
図５は火災発生時に加熱発泡材２７，３０が発泡して膨張し、発泡体２７ａ，３０ａとして召し合せ框８，１３間の隙間を閉塞した状態を示す。この実施の形態によれば、内外の召し合せ框８，１３間の隙間に大量かつ広範囲に発泡体２７ａ，３０ａを充填させることができ、防火性をさらに高めることができる。また、障子５，６を閉じた状態において、煙返し２４，２５どうしを係合させる構成においては、火災発生時に召し合せ框８，１３どうしを発泡体２７ａ，３０ａによって押圧する力（矢印Ｙ２に示す。）が増大するので、発泡体２７ａ，３０ａと召し合せ框１３，８との間の摩擦抵抗が増大すると共に、内外の煙返し２４，２５間の摩擦抵抗も増大するので、さらに延焼防止効果が上がり、防火性が向上する。
【００３７】
上記の実施の形態においては、引き違い窓に本発明の防火構造を適用した例について示したが、本発明は、図６の縦断面図に示すように、上げ下げ窓にも適用することができる。図６において、３３は室内側障子、３４は室外側障子である。３５は室内側障子３３の上框となる召し合せ框、３６は室外側障子３４の下框となる召し合せ框である。
【００３８】
３７は網入りガラスパネル３７ａと網無しガラスパネル３７ｂとからなる室内側障子３３のガラスパネル（複層パネル）である。３８はガラスパネル３７を召し合せ框３５に組み込むためのグレージングチャンネルである。３９は網入りガラスパネル３９ａと網無しガラスパネル３９ｂとからなる室外側障子３４のガラスパネル（複層パネル）である。４０，４１はこのガラスパネル３９を召し合せ框３６に組み込むためのビートである。
【００３９】
室内側障子３３において、３５ａは断熱性向上のために、召し合せ框３５における室外側の面以外の面を空気層を介して覆うように組み合わせた樹脂製の押出形材である。４４は召し合せ框３５に取付けたクレセントである。４５はこのクレセント４４のフック４４ａを係止するために室外側障子３４の召し合せ框３６に取付けた受け金具である。
【００４０】
４６，４７は室内側障子３３の召し合せ框３５に取付けた気密材であり、障子３３，３４を閉じた状態において、室外側障子３４の召し合せ框３６に当接させるものである。４８は室外側障子３４の召し合せ框３６に取付けた気密材であり、障子３３，３４を閉じた状態において、室内側障子３３の召し合せ框３５に当接させるものである。５０，５１はそれぞれ召し合せ框３５，３６における相互に対向面に形成した煙返しであり、障子３３，３４を閉じた状態において、それぞれ煙返し５０，５１は相手の裏側の面に対面するように係合させるものである。
【００４１】
５２は、室内側障子３３の召し合せ框３５において、室外側障子３４の召し合せ框３６との対向面に設けた加熱発泡材である。召し合せ框３５には、この加熱発泡材５２を接着または不図示のねじ等の固定具により召し合せ框３５の全長にわたって取付ける。この加熱発泡材５２の取付けは、前記実施の形態と同様に召し合せ框３５に取付け溝を設け、その取付け溝に加熱発泡材５２を嵌め込むことによって行なうようにしてもよい。
【００４２】
図示のように、召し合せ框３５，３６どうしが対面するように障子３３，３４が閉じた状態においては、加熱発泡材５２は、室内側障子３３の召し合せ框３５に取付けた気密材４６と、室外側障子３４の召し合せ框３６に取付けた気密材４８との間に位置するように構成する。
【００４３】
この上げ下げ窓は、室内側障子３３を上げるかまたは室外側障子３４を下げることによって開放状態とするものであり、閉じ状態においては、クレセント４４のフック４４ａを受け金具４５に係合させる。
【００４４】
この上げ下げ窓においても、火災発生時には前記実施の形態と同様に加熱発泡材５２が発泡して召し合せ框３５，３６間の隙間を塞ぎ、かつ発泡体の膨張により煙返し５０，５１どうしが圧接して摩擦抵抗を増大させ、発泡体と召し合せ框３６との摩擦抵抗も加わり、障子３３，３４の開き方向の動きを防止するので、クレセント４４が溶融したとしても、障子３３，３４の閉じ状態を維持し、防火性を高めることができる。
【００４５】
また、この実施の形態のように、室内側障子３３の召し合せ框３５に加熱発泡材５２を設けることにより、室内側から出火した際に加熱発泡材５２が迅速に発泡し、クレセント４４の溶融前に障子３３，３４の閉じ状態を維持する態勢を確立させておくことができる。
【００４６】
また、この実施の形態においては、障子３３，３４の閉じ状態において、加熱発泡材５２が上下の気密材４６，４８間に介在する構造としたので、発泡時における発泡体の下方への落下を塞ぎ、発泡体を効率のよい状態で召し合せ框３５，３６間に充填させることができる。
【００４７】
図６に示すような上げ下げ窓においても、室内側障子３３の召し合せ框３５のみならず、室外側障子３４の召し合せ框３６の召し合せ框３５との対向面にも加熱発泡材を設けてもよい。このように、室外側障子３４の召し合せ框３６にも加熱発泡材を設ければ、召し合せ框３５，３６間の隙間をより大量かつ広範囲の発泡体によって閉塞することができ、煙返し５０，５１間の摩擦抵抗、および発泡体と召し合せ框３５，３６間の摩擦抵抗もより増大するので、防火性がより向上する。
【００４８】
以上本発明を実施の形態により説明したが、本発明を実施する場合、本発明の要旨を逸脱しない範囲において、窓枠や障子の具体的構成や加熱発泡材の取付け構造等について、種々の変更、付加が可能である。
【符号の説明】
【００４９】
１：窓枠、２：縦枠、３：上枠、４：下枠、５：室内側障子、６：室外側障子、７：縦框、８：召し合せ框、９：上框、１０：下框、１１：ガラスパネル、１２：縦框、１３：召し合せ框、１４：上框、１５：下框、１６：ガラスパネル、１７：クレセント、１８：取付けねじ、１９：裏板、２０：受け金具、２４，２５：煙返し、２７：加熱発泡材、２７ａ：発泡体、２８：取付け溝、３０：加熱発泡材、３０ａ：発泡体、３１：取付け溝、３３：室内側障子、３４：室外側障子、３５，３６：召し合せ框、３７，３９：ガラスパネル、４４：クレセント、４５：受け金具、５０，５１：煙返し、５２：加熱発泡材
【図１】
2015059320.tif 000003
【図２】
2015059320.tif 000004
【図３】
2015059320.tif 000005
【図４】
2015059320.tif 000006
【図５】
2015059320.tif 000007
【図６】
2015059320.tif 000008
【図７】
2015059320.tif 000009
【図８】
2015059320.tif 000010